(57)【要約】【課題】  ボタン電話システムの内線電話機において、有指向性センサを取付けた場合のセンサ検知エリアの拡大を目的とする。【解決手段】  ボタン電話主装置１０に接続される内線電話機２０は異常を検知する複数のセンサ素子３４ａ及び３４ｂを備え、センサ感度調整手段３３ａ及び３３ｂと第１及び第２リモート感度調整手段２４及び２５によりセンサ感度調整を行い、センサ動作状態表示手段３１ａ及び３１ｂを備えることで容易に動作確認でき、主装置１０へセンサ検知情報を出力するセンサ情報出力処理手段２３を備え、主装置１０にセンサ検知情報を送出するセンサ機能付き内線電話機。【選択図】図１
2006325169.tif 000002
【特許請求の範囲】
【請求項１】
ボタン電話システムの主装置に接続される内線電話機であって、異常を検知する複数のセンサと、前記複数のセンサの信号を処理するセンサ信号処理手段と、前記センサ信号処理手段で処理された信号を出力するセンサ情報出力手段を具備し、前記複数のセンサのうち少なくとも１つは異常検知能力に指向性を有するセンサであると共に、前記指向性を有するセンサはその異常検知方向が可変な取付手段により前記内線電話機に装着され、前記複数のセンサのうち少なくとも１つが異常を検知した場合に異常を通知する情報を前記主装置または前記主装置以外の前記内線電話機と繋がる機器へ出力することを特徴とするセンサ機能付き内線電話機。
【請求項２】
請求項１において、前記複数のセンサ毎に個別に検知感度が調整可能であると共に、前記各センサの検知感度を、前記主装置または前記内線電話機と繋がる機器または前記主装置と繋がる機器により調整可能なリモート調整手段を具備したことを特徴とするセンサ機能付き内線電話機。
【請求項３】
請求項１または２において、前記内線電話機はセンサ動作状態表示部を備え、前記内線電話機単体で各センサの動作状態を視覚的に判別可能としたことを特徴とするセンサ機能付き内線電話機。
【発明の詳細な説明】
【発明の詳細な説明】
【技術分野】
【０００１】  本発明は、ボタン電話システムの内線電話機として、異常を検知するセンサ（例えば人感センサ）を内蔵した内線電話機に関する。
【背景技術】
【０００２】  従来この種の装置は、ボタン電話システムの主装置と複数の内線電話機からなる簡易セキュリティ機能付きボタン電話システムがあり、外部センサ機器を接続するセンサ機器接続手段と、センサ機器異常検出時に自動発信して呼出先応答後の異常を通知するガイダンスを送出する異常時発呼手段を備えている（特許文献１参照）。【０００３】  センサ機器としては、例えば人を感知する人感センサがあるが、この人感センサは焦電センサにフレネルレンズを装着して指向性を持たせているため、検知エリアに方向性があり見通しも必要とするため（特許文献２参照）、天井や壁に取付けるが一般的である。【０００４】
【特許文献】特開２００４−３２８０５９号公報
【特許文献２】特開平６−３３７２２８号公報
【発明の開示】
【発明が解決しようとする課題】
【０００５】  センサ機器を天井や壁に取り付ける場合、その配線工事が大掛かりであり、また手が届きにくい天井などに設置されたセンサ機器の感度調整，保守は、天井からセンサ機器を外して実施する必要があり、手間と時間がかかる等の工事性および保守性が悪いという欠点があった。さらに設置した後にその設置位置を変更する場合、再度大掛かりな工事が必要になるという欠点があった。【０００６】  また、従来の天井などに設置された外部センサ機器は、センサ出力信号に同期して、センサ動作状態表示を行なうため発光ダイオードの発光表示を行なっているが、天井などに設置されるため使用者自身が確認することは難しい。またセンサの動作確認をするためには主装置のセンサ情報検出を有効にし、各種セキュリティモードに移行させ、外線通報などを行なえば確認可能であるが時間と手間がかかる。【０００７】  本発明は上記欠点を解決するために、ボタン電話システムの内線電話機にセンサを取付けることにより工事性と保守性を大幅に改善することを目的とする。【０００８】  ただし、人感センサのような指向性を有するセンサを内線電話機に取付けた場合、その検知エリアが狭い点を改善する必要がある。例えば天井に設置された外部センサ機器が水平方向１８０度、垂直方向１８０度の指向性を持つセンサ素子を使用していた場合、センサ裏面は天井なので検知する必要がなく、よってセンサ表面全ての方向が検知エリアとなるのに対し、内線電話機に同じ指向性を持つセンサ素子を内線電話機の前面に取付けた場合、後方向に検知エリアが無く、検知エリアが狭くなってしまうという問題がある。
【課題を解決するための手段】
【０００９】  上記課題を解決するために、本発明は、ボタン電話システムの主装置に接続される内線電話機であって、異常を検知する複数のセンサと、前記複数のセンサの信号を処理するセンサ信号処理手段と、前記センサ信号処理手段で処理された信号を出力するセンサ情報出力手段を具備し、前記複数のセンサのうち少なくとも１つは異常検知能力に指向性を有するセンサであると共に、前記指向性を有するセンサはその異常検知方向が可変な取付手段により前記内線電話機に装着され、前記複数のセンサのうち少なくとも１つが異常を検知した場合に異常を通知する情報を前記主装置または前記主装置以外の前記内線電話機と繋がる機器へ出力することを特徴とする。【００１０】  また本発明は、上記記載のセンサ機能付き内線電話機において、前記複数のセンサ毎に個別に検知感度が調整可能であると共に、前記各センサの検知感度を、前記主装置または前記内線電話機と繋がる機器または前記主装置と繋がる機器により調整可能なリモート調整手段を具備したことを特徴とする。【００１１】  さらに本発明は、上記記載のセンサ機能付き内線電話機において、前記内線電話機はセンサ動作状態表示部を備え、前記内線電話機単体で各センサの動作状態を視覚的に判別可能としたことを特徴とする。
【発明の効果】
【００１２】  本発明によれば、ボタン電話システムの内線電話機にセンサを取付けるので、センサ機器を天井や壁に取り付ける従来の場合に比べ、電話配線を流用出来る等、工事性が大幅に改善され経済的であると共に、センサ感度の調整や定期メンテナンス等の保守性に優れる。【００１３】  また、人感センサのような指向性を有するセンサの場合でも、複数のセンサ素子を取付けるので、互いに異なる方向に向けることにより、その検知エリアを拡大可能である。【００１４】  逆に、複数のセンサ素子を互いに同方向に向け取付け、２つのセンサが両方とも検知したときに主装置に対して、検知情報を送るようにすることで、センサの検知精度を向上させることも可能である。【００１５】  さらに、複数のセンサ素子を互いに異なる方向へ向け取付けた場合でも、同方向へ向け取付けた場合でも、片方のセンサが故障した場合にもう片方のセンサで異常を感知でき、信頼性を向上させることができる。【００１６】  センサを内線電話機に取付けることで、使用者自身が電話機を任意の場所に設置でき、移動できるため、センサの検知エリアを任意に設定できる。【００１７】  センサを内線電話機の可動部（例えば画像表示画面パネル）へ取付けることにより、その画像表示画面パネルの角度を可変することで、センサの検知エリアの角度調整を行なうことができる。【００１８】  センサ機能付き内線電話機は各センサの動作状態表示手段および感度調整手段を備えており、しかも内線電話機は使用者のすぐ近くに設置されるため、従来の天井に取付けられている外部センサ機器では困難であった動作確認および感度調整を、容易に実行できる利点がある。【００１９】  外線からのプッシュ信号など感度調整のリモート操作が可能であり、屋外や出先からでもセンサの感度調整が可能である。またセンサ動作状態表示手段により、主装置の各種セキュリティモードを操作することなく、使用者は容易に動作確認を行なうことができる。
【発明を実施するための最良の形態】
【００２０】  以下、本発明によるセンサ機能付き内線電話機の実施例を添付図面に基づいて詳細に説明する。【００２１】  図１は本発明の第１の実施例であり、センサ機能付き内線電話機２０を、センサ機器接続手段１３を有するボタン電話主装置１０ａに接続している。センサ機能付き内線電話機２０は複数の（図１では２つ）センサ回路部３０ａ，３０ｂを内蔵しており、センサ素子３４ａまたは３４ｂからの信号はセンサ信号処理手段３２ａ，３２ｂを介して、センサ情報出力処理手段２３に入力し、その出力信号はボタン電話主装置１０ａのセンサ機器接続手段１３に入力する。【００２２】  センサ機器接続手段１３はＯＰＥＮ検出またはＳＨＯＲＴ検出の切替が可能で、センサ情報出力処理手段２３もＯＰＥＮ出力またはＳＨＯＲＴ出力の切替が可能とすることで、ＯＰＥＮ検出の場合はセンサ情報出力処理手段２３からセンサ機器接続手段１３への接続において、複数の内線電話機を直列接続、ＳＨＯＲＴ検出の場合は、複数の内線電話機を並列接続しても検出可能であり、センサ機能付き内線電話機２０の接続台数を増やすことができる。またＯＰＥＮ検出の場合、センサ機能付き内線電話機２０が非接続状態になった場合も検出するものとする。【００２３】  センサ機能付き内線電話機２０には内線電話機回路部２１があり、ボタン電話主装置１０ａの内線電話機インターフェース部１１とＴ１、Ｔ２、Ｔ３、Ｔ４端子により２芯で接続されている。またセンサ電源部２２は、内線電話機回路部２１からの電源供給を受け作成する。第１センサ回路部３０ａにはセンサ素子３４ａがあり、その出力はアナログ信号であり、センサ信号処理手段３２ａに送られる。その信号の電圧レベルを監視するセンサ信号処理手段３２ａにて、あらかじめ設定してある電圧レベルを越えたか否かで、検知か非検知かの判断を行い、検知の場合にセンサ情報出力処理手段２３にセンサ出力が送られる。ここまでは第２センサ回路部３０ｂも同じ構成である。【００２４】  センサ信号処理手段３２ａ及び３２ｂからセンサ出力がセンサ情報出力処理手段２３に送られると、主装置１０ａに対して、２つのセンサ出力の論理和または論理積がセンサ情報出力となり、その接点情報を主装置１０ａのセンサ機器接続手段１３に送られる。その接点情報を検出し、センサ検知情報処理手段１２にセンサ情報を送る。このセンサ検知情報処理手段１２において、各種サービスを行なう処理をする。例えば、ルームモニタ、外線に対して通報、音声による威嚇などである。【００２５】  なお、Ｔ１、Ｔ２とＴ３、Ｔ４の端子間を接続する内線電話としての２芯と、Ｔ７、Ｔ８とＴ５ａ、Ｔ６ａを接続するセンサケーブルとしての２芯を、一つの４芯ケーブルで接続することも可能である。【００２６】  ここで、複数のセンサ素子３４ａ，３４ｂは人感センサ等の指向性を有するセンサ素子であり、内線電話機２０に取付けた後でも、そのセンサ素子の向きを可変できるよう、ユニバーサルジョイント等の可動取付け構造としている。【００２７】  図１において、第１の有指向性センサ素子３４ａと第２の有指向性センサ素子３４ｂを異なる方向に向けた場合について説明する。第１または第２の有指向性センサがセンサ出力をセンサ信��処理手段３２ａ及び３２ｂを介してセンサ情報出力処理手段２３に対して送ったとき、センサ情報出力処理手段２３は、どちらか一方でもセンサ出力が送られて来たら主装置１０ａのセンサ機器接続手段１３に対しセンサ情報出力を送るようにするため、論理和をとりセンサ情報出力する。これによりセンサ検知エリアを広げることができる。【００２８】  図１において、第１の有指向性センサ素子３４ａと第２の有指向性センサ素子３４ｂを同方向に向けた場合について説明する。第１または第２の有指向性センサがセンサ出力をセンサ信号処理手段３２ａ及び３２ｂを介してセンサ情報出力処理手段２３に対して送ったとき、センサ情報出力処理手段２３は、両方のセンサ出力が送られて来たときだけ、主装置１０ａのセンサ機器接続手段１３に対しセンサ情報出力を送るようにするため、論理積をとりセンサ情報出力する。これによりセンサ検知精度を上げることができる。【００２９】  図１において、第１の有指向性センサ素子３４ａと第２の有指向性センサ素子３４ｂを同方向に向けても異なる方向に向けても、第１、第２センサ回路部３０ａ及び３０ｂはそれぞれ独立しているため、どちらかの回路またはセンサ素子が故障していたとしても、もう一方が動作可能なため、信頼性が向上する。【００３０】  図１において、センサ動作状態表示手段３１ａは、センサ信号処理手段３２ａに接続され、センサ出力と同期して、センサの動作状態を表示するものであり、例えば発光ダイオードを発光させるものである。また第２センサ回路部３０ｂについても同じであるが、発光ダイオードの発光色を色分けてしてあり、どちらのセンサが検知したかを視覚的に判断できる。また、センサ感度調整手段３３ａは、センサ信号処理手段３２ａに接続され、その監視する電圧レベルを調整するものである。また第２センサ回路部３０ｂについても同じである。【００３１】  図２は本発明の第２の実施例であり、センサ機能付き内線電話機２０のセンサ情報出力を外部セキュリティ機器４０に接続した場合である。
センサ情報出力を無電圧半導体接点とすることで、汎用の外部セキュリティ機器にも接続可能であり、ボタン電話主装置１０ｂはセンサ機器接続手段１３の無い汎用のボタン電話主装置でもよい。なお、センサ機能付き内線電話機２０の内部構成，動作は図１と同じである。【００３２】  ここでいう外部セキュリティ機器とは、センサの信号を入力とするものであり、例えば、監視カメラ、ドアロック機器、警報機器などである。内線電話機２０のセンサ情報出力処理手段２３のＴ７及びＴ８端子を外部セキュリティ機器４０のセンサ機器接続手段４２のＴ５ｂ及びＴ６ｂ端子に接続する。センサ機器接続手段４２で検出されるセンサ検知情報は、センサ検知情報処理手段４１に送られ、各種セキュリティサービスを行なう処理をする。【００３３】  図３は本発明の第３の実施例であり、ボタン電話主装置１０ｃにセンサ機能付き内線電話機２０と外部センサ機器６０を接続した場合である。これにより、ボタン電話主装置１０ｃ内のセンサ検知情報処理手段１２と外部センサ機器６０が連携し、より強固なセキュリティシステムを構築できる。なお、センサ機能付き内線電話機２０の内部構成，動作は図１と同じである。【００３４】  図３において、ボタン電話主装置１０ｃのセンサ機器接続手段１３は、複数の接続端子Ｔ５ａ、Ｔ６ａ及びＴ５ｃ、Ｔ６ｃを備え、それぞれ個別に検出を行うものである。これによりセンサ機能付き内線電話機を複数台接続することも可能であるが、図３のように外部センサ機器６０と併用して接続することも可能となる。外部センサ機器６０は、センサ機能付き内線電話機と同じくセンサ素子６５、センサ信号処理手段６３、センサ感度調整手段６４、センサ動作状態表示手段６２、センサ接点情報出力手段６１を備え、センサ接点情報出力手段６１のＴ１１及びＴ１２端子とボタン電話主装置１０のセンサ機器接続手段１３のＴ５ａ及びＴ６ａ端子と接続される。またセンサ電源部６６のＴ１５及びＴ１６端子は、センサ電源供給部１４のＴ１３及びＴ１４端子と接続される。センサ機能付き内線電話機２０は、図１と同じくＴ１、Ｔ２、Ｔ７、Ｔ８端子で主装置１０と接続される。このときセンサ機器接続手段１３は、２系統のセンサ検知信号を個別に処理し、どちらのセンサが検知してもセンサ検知情報処理手段１２に検知情報を出力するものである。【００３５】  図４はセンサ機能付き内線電話機の動作フローを示す図である。センサ監視モードが開始され、第１センサが異常を検知すると、センサから出力されたアナログ信号が設定検知レベル範囲の場合に検知とし（Ｓ１０１）、センサ出力に同期して第１センサ動作状態表示を行ない（Ｓ１０３）、第１センサ信号を出力する（Ｓ１０４）。またステップＳ１０１において、設定検知レベル範囲外の場合は非検知とし、検知動作に戻る（Ｓ１０２）。第２センサについても同じ動作をする。第１センサ信号出力（Ｓ１０４）と第２センサ信号出力（Ｓ２０４）の論理和または論理積をとり（Ｓ１０５）、主装置１０ａ，１０ｃまたは外部センサ機器４０へセンサ接点情報出力を送信する（Ｓ１０６）。この信号を主装置または外部センサ機器が受信すると（Ｓ１０７）、センサ接点情報が検出時間範囲継続した場合に検知とし���Ｓ１０８）、各種セキュリティモードに移行する（Ｓ１１０）。もしセンサ接点情報が検出時間範囲継続されなかった場合には待機状態となる（Ｓ１０９）。【００３６】  次に各実施例において、センサ感度を外線からのプッシュ信号によりリモート操作で調整する場合について説明する。主装置１０が外線からのプッシュ信号によるセンサ感度調整のリモート操作信号を検出すると、内線電話機インターフェース部１１を介して、内線電話機回路部２１にその信号を送る。そこから第１、第２リモート感度調整手段２４及び２５はリモート感度調整信号を取り出し、センサ信号処理手段３２ａ及び３２ｂに個別に送り、センサからのアナログ信号の電圧監視レベルを調整することで、個別に感度調整を行なう。またプッシュ信号の種類により、あらかじめ設定してある感度の段階から１つを選択できるものとする。例えば、ダイヤル１の場合はレベル１（最小）やダイヤル９の場合はレベル９（最大）のような設定である。【００３７】  図５は外線からのプッシュ信号によるリモート操作でセンサ感度調整する場合の動作フロー図である。まず外線に着信があり、ナンバー・ディスプレー等の発信者番号を受信する機能の利用時は、発信者番号を受信する（Ｓ３０１）。この発信者番号は特定発信者の電話番号からの照合を行ない（Ｓ３０２）、一致の場合、ボタン電話主装置１０は自動応答し（Ｓ３０３）、一次応答信号を外線に送出する（Ｓ３０４）。一次応答信号を聴取した発信者がセンサ感度調整特番をダイヤルすると、ボタン電話主装置１０はプッシュ信号を受信し（Ｓ３０５）、あらかじめ記憶されているセンサ感度調整特番との照合を行なう（Ｓ３０６）。一致していない場合は、他の特番と一致しているか照合する（Ｓ６０１）。該当する特番があれば、各種特番動作を行ない（Ｓ６０２）、最終的に一致する特番がない場合は、発信者に対し、話中音を送出する（Ｓ３０９）。【００３８】  ステップＳ３０６において、センサ感度調整特番の照合結果が一致であった場合、続けてプッシュ信号を受信し（Ｓ３０７）、受信したパスワードとあらかじめ記憶してあるパスワードの照合を行ない（Ｓ３０８）、一致しない場合は発信者に対し、話中音を送出する（Ｓ３０９）。【００３９】  ステップＳ３０８において、パスワードが一致であった場合は、続けてプッシュ信号を受信し（Ｓ３１０）、受信した内線番号に対して、センサ感度調整可能内線かどうかの照合を行ない（Ｓ３１１）、一致しない場合は発信者に対し、話中音を送出する（Ｓ３０９）。【００４０】  ステップＳ３１１において、センサ感度調整可能内線の場合、続けてプッシュ信号を受信し（Ｓ３１２）、受信したその内線電話のセンサ取付け位置を示すセンサ番号と、あらかじめ記憶してあるセンサ番号の照合を行い（Ｓ３１３）、一致しない場合は発信者に対し、話中音を送出する（Ｓ３０９）。【００４１】  ステップＳ３１３において、センサ番号が一致した場合、続けてプッシュ信号を受信し（Ｓ３１４）、受信した感度調整レベル番号と、あらかじめ記憶してある感度調整レベル番号の照合を行い（Ｓ３１５）、一致しない場合は発信者に対し、話中音を送出する（Ｓ３０９）。【００４２】  ステップＳ３１５において��感度調整レベル番号が一致した場合、ボタン電話主装置１０のセンサ検知処理手段１２は、内線電話機インターフェース部１１及び内線電話機回路部２１を介し、リモート感度調整手段２４または２５に対し、センサ感度調整制御データを送信する（Ｓ３１６）。ここで受信した感度調整レベル信号に対応する感度調整信号をセンサ信号処理手段３２ａまたは３２ｂに個別に送信し、センサ感度を調整する。センサ感度調整終了後（Ｓ３１７）、発信者に対する外線を終話し（Ｓ３１８）、センサ検知処理手段１２は、内線電話機インターフェース部１１を介し、内線電話機回路部２１に対して、待機時電話機制御データを送り（Ｓ３１９）、内線電話機２０は待機状態となる（Ｓ３２０）。【００４３】  このようにセンサ感度調整のリモート操作を行う人が特定されている場合は、あらかじめボタン電話主装置１０に携帯電話機等の電話番号を記憶しておくことにより、外出先から上記携帯電話機を利用して、センサ感度調整を行うことができる。また一般的なプッシュ信号を利用しているため、外線で使用する電話機の選択の幅を広げることができる。【００４４】  ここまでは発信者番号を受信し、あらかじめボタン電話主装置１０に発信者番号が登録済の場合であったが、ステップ３０２で発信者番号を受信できなかった場合や受信できても登録済でなかった場合は着信外線が留守番モードかを判定する（Ｓ４０１）。留守番モードの場合は、ボタン電話主装置１０は自動応答し（Ｓ４０２）、応答メッセージを外線に対し送出する（Ｓ４０３）。このとき発信者はプッシュ信号送出操作を行い、受信したリモート移行特番（Ｓ４０４）とあらかじめ記憶してあるリモート特番の照合を行い（Ｓ４０５）、一致しない場合は留守番モード動作となり（Ｓ４０６）、一致した場合は、発信者に対し、一次応答信号を送出する（Ｓ３０４）。【００４５】  また留守番モードの判断（Ｓ４０１）で、留守番モードでない場合は、ＤＩＤ設定外線かを判断し（Ｓ５０１）、ＤＩＤ設定外線でない場合は各種着信動作となり（Ｓ５０２）、ＤＩＤ設定外線の場合には、ボタン電話主装置１０は自動応答し（Ｓ５０３）、発信者に対し、一次応答信号を送出する（Ｓ３０４）。【００４６】  なお、ボタン電話主装置１０の設定として、内線電話機側が一定時間応答しない場合にＤＩＤと同等になる外線がある場合は、この外線もＤＩＤ外線として定義する。【００４７】  このように、外出時に留守番モードに設定されている外線またはＤＩＤ設定外線がある場合は、一般的なプッシュ信号を送出できる電話機であればサブアドレスを用いずに内線番号を指定することができ、発信する電話機を特に選ばずに、外出先からボタン電話主装置１０に接続される内線電話機２０のセンサ感度調整を行うことができる。【００４８】  以上は外線からのリモート操作について説明したが、主装置１０に接続される他の内線電話機をボタン操作することで主装置１０のデータ設定モードに移行し、感度調整用のデータを設定することにより、主装置１０から内線電話機インターフェース部１１、内線電話機回路部２１を介し、第１、第２リモート感度調整手段２４及び２５に対し、感度調整制御信号を送る。この信号でセンサ感度調整を行うこ��も可能である。
さらに、センサ感度調整手段３３ａ及び３３ｂに接続端子を個別に設け、外部スイッチ機器などの外部調整機器を接続することで、内線電話機２０から離れた位置からでもセンサ感度調整可能である。【００４９】  図６はセンサ機能付き内線電話機２０を正面から見た場合の外観を示す図である。センサ機能付き内線電話機本体７０に画像表示画面パネル７４と、画像表示画面パネル７４とセンサパネル７３が実装されている。センサパネル７３にはセンサ７１，７２が前方向または後方向に取り付けられている。【００５０】  図７は図６のセンサ機能付き内線電話機２０を横から見た場合の外観を示す。画像表示画面パネル７４は内線電話機本体７０との接続点Ｋ１を固定点とし、前方向と後方向に可変するものである。これは画面の角度を調整するものであるが、センサ７１及び７２の検知方向の角度を調整する手段として使用できる。また電話機スタンド７５は内線電話機本体７０との接続点Ｋ２を固定点とし、前方向と後方向に可変するものである。これは内線電話機の高さを調整するものであるが、センサ７１及び７２の検知方向の角度を調整する手段として使用できる。センサパネル７３は画像表示画面パネル７４との接続点Ｋ３を固定点とし、１８０℃回転し、センサ検知方向を可変するものである。使用者はこの３つの手段を組み合わせて、検知エリアを任意の方向に可変できる。【００５１】  ところで、人感センサは一般に焦電センサ素子８０にフレネルレンズ８１を取付け、検知エリアに指向性をつけ、この検知エリアを人が横切ることにより人の存在を検知する。図８は、センサにフレネルレンズを取付けたセンサ素子３４ａ及び３４ｂの検知エリアを示しており、（Ａ）図は水平方向の指向性、（Ｂ）図は垂直方向の指向性を示す図である。水平方向にはＨ１、Ｈ２、Ｈ３、Ｈ４、Ｈ５の５つの検知エリアが存在する。垂直方向にはＶ１、Ｖ２、Ｖ３の３つの検知エリアが存在し、合計１５個の検知エリアが存在するもので、その検知距離は例えば５ｍ程度である。例えば、人感センサの場合、Ｈ１のエリアからＨ２のエリアに人間が動作したとき、その動作を検知するようエリアが分けられている。本発明ではこのような指向性を有するセンサ素子を複数、内線電話機に取付けるものである。【００５２】  以上、各実施例において、内線電話機にセンサを２個取付けた場合を例に説明したが、本発明はこれに限るものではない。すなわち、２個以上のセンサを搭載し、さらに検知エリアの拡大、センサ信頼性の向上を図ることも可能である。【００５３】  また複数のセンサ素子は、同じ種類または同じ指向性のセンサ素子でなくてもよい。例えば、赤外線センサ、超音波センサ、紫外線センサなど検知原理や指向性の異なるセンサ素子を組みあわて、多様な特性を実現することも可能である。
【図面の簡単な説明】
【００５４】
【図１】本発明の第１の実施例のボタン電話システム構成図
【図２】本発明の第２の実施例のボタン電話システムと外部セキュリティ機器の構成図
【図３】本発明の第３の実施例のボタン電話システムと外部センサ機器の構成図
【図４】本発明のボタン電話システムの動作フローチャート
【図５】本発明のリモート操作によるセンサ感度調整の動作フローチャート
【図６】本発明のセンサ機能付き内線電話機の正面から見た外観図
【図７】本発明のセンサ機能付き内線電話機の横面から見た外観図
【図８】本発明のセンサ機能付き内線電話機に使用するセンサ及び指向性を示す図
【符号の説明】
【００５５】１０ａ、１０ｂ、１０ｃ（代表して１０と標記することもある）・・・ボタン電話主装置
１１・・・内線電話機インターフェース部
１２・・・センサ検知情報処理手段
１３・・・センサ機器接続手段
１４・・・センサ電源供給部
２０・・・センサ機能付き内線電話機
２１・・・内線電話機回路部
２２・・・センサ電源部
２３・・・センサ情報出力処理手段
２４・・・第１リモート感度調整手段
２５・・・第２リモート感度調整手段
３０ａ・・・第１センサ回路部
３０ｂ・・・第２センサ回路部
３１ａ、３１ｂ・・・センサ動作状態表示手段
３２ａ、３２ｂ・・・センサ信号処理手段
３３ａ、３３ｂ・・・センサ感度調整手段
３４ａ、３４ｂ・・・センサ素子
４０・・・外部セキュリティ機器
４１・・・外部セキュリティ機器のセンサ検知情報処理手段
４２・・・外部セキュリティ機器のセンサ機器接続手段
４３・・・外部セキュリティ機器のセンサ電源供給部
６０・・・外部センサ機器
６１・・・外部センサ機器のセンサ接点情報出力手段
６２・・・外部センサ機器のセンサ動作状態表示手段
６３・・・外部センサ機器のセンサ信号処理手段
６４・・・外部センサ機器のセンサ感度調整手段
６５・・・外部センサ機器のセンサ素子
６６・・・外部センサ機器のセンサ電源部
７０・・・本発明のセンサ機能付き内線電話機本体
７１、７２・・・センサ
７３・・・センサパネル
７４・・・画像表示画面パネル
７５・・・電話機スタンド
８０・・・センサ素子
８１・・・フレネルレンズ
Ｔ１、Ｔ２・・・内線電話機インターフェース部接続端子
Ｔ３、Ｔ４・・・内線電話機回路部接続端子
Ｔ５ａ、Ｔ６ａ、Ｔ５ｃ、Ｔ６ｃ・・・センサ機器接続手段の接続端子
Ｔ５ｂ、Ｔ６ｂ・・・外部セキュリティ機器のセンサ機器接続手段の接続端子
Ｔ７、Ｔ８・・・センサ情報出力処理手段の接続端子
Ｔ９、Ｔ１０・・・外部セキュリティ機器のセンサ電源供給部接続端子
Ｔ１１、Ｔ１２・・・外部センサ機器のセンサ接点情報出力手段の接続端子
Ｔ１３、Ｔ１４・・・センサ電源供給部の接続端子
Ｔ１５、Ｔ１６・・・外部センサ機器のセンサ電源部接続端子
Ｋ１・・・内線電話機本体と画像表示画面パネルの接続固定点
Ｋ２・・・内線電話機本体と電話機スタンドの接続固定点
Ｋ３・・・画像表示画面パネルとセンサパネルの接続固定点
Ｈ１、Ｈ２、Ｈ３、Ｈ４、Ｈ５・・・焦電センサの水平方向の検知エリア
Ｖ１、Ｖ２、Ｖ３・・・焦電センサの垂直方向の検知エリア
【図１】
2006325169.tif 000003
【図２】
2006325169.tif 000004
【図３】
2006325169.tif 000005
【図４】
2006325169.tif 000006
【図５】
2006325169.tif 000007
【図６】
2006325169.tif 000008
【図７】
2006325169.tif 000009
【図８】
2006325169.tif 000010